(57)【要約】      （修正有）【課題】極めて簡単な操作で施錠、解錠ができ、施錠時には防犯機能を有し、緊急時にはスムーズに脱出できる施錠装置の提供。【解決手段】施錠部材８は本体部の開口を介して本体部の表面側に露出している操作部材５と係合しており、さらに該操作部材５が垂直方向に回転可能にとりつけられており、面格子の施錠に際しては、面格子を閉じた状態で操作部材５を垂下状態から水平状態に起立し、次いで操作部材５を回転せしめることによって同時に施錠部材８が回転して当接部が開口枠３の内側に突出して係合状態を保持し、その状態で操作部材５を下方に垂下せしめて施錠状態を保持し、解錠に際しては操作部材５を水平状態に起立し、次いで操作部材５を施錠時とは逆回転せしめることによって施錠部材２を回転せしめて当接部を開口枠３の内側から引き込ませて開口枠３とは非係合状態にして解錠状態を保持することを特徴とする面格子１における施錠装置。【選択図】    図２
2004162502.tif 000002
【特許請求の範囲】
【請求項１】
開口枠の内側に水平方向に回転又は移動可能に設置される面格子の一端側にとりつけられる施錠装置であって、該施錠装置はケースと、該ケースの表面側にとりつけられる操作部材と、ケースの裏面側にとりつけられる施錠部材と、該施錠部材の裏面側にとりつけられるカバーとを備えており、前記ケースは本体部と本体部の両端部に固定部を設け、さらに本体部の裏面側に空間部を形成し、さらにまた本体部には空間部に通じる開口を形成しており、前記空間部には施錠部材が設けてあり、この施錠部材は本体部の開口を介して本体部の表面側に露出している操作部材と係合しており、さらに該操作部材が垂直方向に回転可能にとりつけられており、面格子の施錠に際しては、面格子を閉じた状態で操作部材を垂下状態から水平状態に起立し、次いで操作部材を回転せしめることによって同時に施錠部材が回転して当接部が開口枠の内側に突出して係合状態を保持し、その状態で操作部材を下方に垂下せしめて施錠状態を保持し、解錠に際しては操作部材を水平状態に起立し、次いで操作部材を施錠時とは逆回転せしめることによって施錠部材を回転せしめて当接部を開口枠の内側から引き込ませて開口枠とは非係合状態にして解錠状態を保持することを特徴とする面格子における施錠装置。
【請求項２】
施錠部材は当接部を中央部よりも外側に突出するように形成されており、操作部材を垂下した際に操作部材の突出部が施錠部材をカバー側に押動することにより当接部と開口枠とのより強い接触状態を保持することを特徴とする請求項１記載の面格子における施錠装置。
【請求項３】
ケースの開口から露出している操作部材を水平方向に回転したときに開口縁が当止めになることを特徴とする請求項１または２記載の面格子における施錠装置。
【請求項４】
カバー又はケースの面格子の位置する側に施錠部材を隠蔽する覆部を、または収納部を形成したことを特徴とする請求項１または２又は３記載の面格子における施錠装置。
【発明の詳細な説明】
【０００１】
【発明の属する技術分野】
本発明は緊急時に避難するために開放でき、通常は防犯のために施錠されている面格子、例えばルーバ羽を備える面格子における施錠装置に関する。
【０００２】
【従来の技術】
従来公知の面格子における施錠装置は、特開平６−１２９１６６号公報に開示されている。
この発明は概略縦枠体（開口枠）に施錠機構の主要部が設けられ、面格子側には係止挿入孔が設けられ、施錠機構の操作部を室内側に向けて倒して、次いで室外側に向けて移動したときに、係止部材の先端が前記挿入孔に挿入係止されて施錠され、該操作部を室内側に向けて移動したときに係止部材が挿入孔から解除され、次いで操作部を起立せしめて縦枠体に支持する構造である。
【０００３】
【発明が解決しようとする課題】
上記した従来の発明は面格子の施錠装置であるが、面格子は引戸式の開閉であり、面格子が回転軸を介して水平方向に開閉する、言わば観音開き式の構造ではない。またその施錠装置は観音開き式の面格子には適用できないものである。
本発明は開口枠の内側に水平方向に回転又は移動可能に設置されている面格子、言わば観音開き式あるいは引戸式面格子の施錠装置に関し、その目的は極めて簡単な操作で施錠、解錠ができ、施錠時には防犯機能を有し、緊急時にはスムーズに脱出できる面格子における施錠装置を提供するにある。
【０００４】
【課題を解決するための手段】
本発明つぎの特徴を備えている。
その一つは、「開口枠の内側に水平方向に回転又は移動が可能に設置される面格子の一端側にとりつけられる施錠装置であって、該施錠装置はケースと、該ケースの表面側にとりつけられる操作部材と、ケースの裏面側にとりつけられる施錠部材と、該施錠部材の裏面側にとりつけられるカバーとを備えており、前記ケースは本体部と本体部の両端部に固定部を設け、さらに本体部の裏面側に空間部を形成し、さらにまた本体部には空間部に通じる開口を形成しており、前記空間部には施錠部材が設けてあり、この施錠部材は本体部の開口を介して本体部の表面側に露出している操作部材と係合しており、さらに該操作部材が垂直方向に回転可能にとりつけられており、面格子の施錠に際しては、面格子を閉じた状態で操作部材を垂下状態から水平状態に起立し、次いで操作部材を回転せしめることによって同時に施錠部材が回転して当接部が開口枠の内側に突出して係合状態を保持し、その状態で操作部材を下方に垂下せしめて施錠状態を保持し、解錠に際しては操作部材を水平状態に起立し、次いで操作部材を施錠時とは逆回転せしめることによって施錠部材を回転せしめて当接部を開口枠の内側から引き込ませて開口枠とは非係合状態にして解錠状態を保持することを特徴とする面格子における施錠装置」である。
【０００５】
その二つは「上記の施錠装置において、施錠部材は当接部を中央部よりも外側に突出するように形成されており、操作部材を垂下した際に操作部材の突出部が施錠部材をカバー側に押動することにより当接部と開口枠とのより強い接触状態を保持することを特徴とする面格子における施錠装置」である。
【０００６】
その三つは「上記それらの施錠装置において、ケースの開口から露出している操作部材を水平方向に回転したときに開口縁が当止めになることを特徴とする面格子における施錠装置」である。
その四つは「同じく上記の施錠装置において、カバー又はケースの面格子の位置する側に施錠部材を隠蔽する覆部を、または収納部を形成したことを特徴とする面格子における施錠装置」である。
【０００７】
【発明の実施の形態】
本発明の実施形態を図面を用いて以下に説明する。
図１、図２において１はルーバ式の面格子、１ａはルーバ羽、１ｂは上下左右の枠体である。左右一対の面格子の一方（図１の左側）は固定式で、右側の面格子がヒンジ１ｃを介して表面側（外側）に水平方向に回転可能である。１ｄは公知のルーバ羽の開閉機構で、羽の開閉角度を調整する。
２は本発明の施錠装置で枠体１ｂに止具を介してとりつけられる。
【０００８】
３は上下左右の開口枠で、この開口枠の内面には、面格子の枠体にとりつけられている施錠装置の施錠部材が大きく突出しており開口枠の内面を押圧する程度に当接状態を保っている。この状態で面格子を外側に開けることができない。つまり施錠状態である。
施錠装置２は枠体１ｂに固定されるケース４に操作部材５とそれに係合している施錠部材８とが組み込まれ、しかして裏面側にカバー９を当てがってセットにしている。
この実施例では操作部材５は複数の部材を組み合わせて形成されており具体例で言えば係合部６と動作部７からなり、かつ動作部は突出部７ａ、操作棒７ｂ（不図示）、把み７ｃ、パイプ７ｄから構成されている。図３以下で各部材の構成について説明する。
【０００９】
図３において、ケース４は合成樹脂の成型体で、両端部に固定部４ａ、４ａを設け、中間を隆起せしめて本体部４ｂ、４ｂとして、本体部の裏面側に空間部４ｃを形成している。
さらに本体部は中央に空間部に通じる開口４ｄを略空間部の長さに沿って形成している。開口４ｄの延長線上の固定部は図３Ｅに示すごとく湾曲の凹みとしている。この面に操作部材が当接支持される、図１１参照。４ｅは止着用ネジの挿入孔、４ｆは本体部の裏側に形成した凹部で、後述するが操作部材の係合部が嵌入する。
【００１０】
図４は操作部材の動作部を構成する各部材を示し、ＡおよびＢは突出部の略正面図および左側面図を示す。Ｃは操作棒の略正面図、Ｄはパイプの略正面図、Ｅは把みの略正面図を示す。
突出部７ａは合成樹脂製で、操作棒７ｂの先端に固定されており、操作棒にたいして前方水平方向に突出している。７ａ１は軸ピンの挿通孔である。７ｂは金属製の操作棒で所定長さを有し、中空角型である。その一端は突出部に嵌合固定しており、他端は後述の図４Ｅに示す把み７ｃに嵌合固定される。
７ｄは円形のパイプである。このパイプは突出部と把みの間に介在されて操作棒にたいして回転自在に遊嵌している。
【００１１】
図５は上記各部材を組み立てた動作部の略正面図を示す。図示のように突出部７ａが水平方向に突出している。この状態では突出部７ａ、操作棒７ｂ、把み７ｃが一体的であり、パイプ７ｄは操作棒７ｂに遊嵌状態で突出部と把みの間に回転自在に介在されており、パイプ７ｄに対して把みを把手して回転すると同時に操作棒７ｂ、突出部７ａが回転する。
【００１２】
図６は係合部を示し、Ａは略正面図、ＢはＡのＸ−Ｘ断面図である。６は係合部で後述の施錠部材に係合している。図示では概略係合段部を有する円盤の中央部にＵ字溝を形成した形としている。６ａは係合段部、６ｂはＵ字溝、６ｃは軸ピンの挿通孔である。
【００１３】
図７は操作部材５を示す。操作部材５は前記の通り、この実施例では係合部６と動作部７とから構成されてている。係合部６は動作部７とは軸ピン７ｅを介して回転自在に形成されている。Ａは動作部が垂下している状態、この状態で突出部７ａの先端が係合部から突出している。Ｂは動作部を回転して水平状態にしている状態を示す。
【００１４】
図８は施錠部材を示す。施錠部材８は合成樹脂製の成型体である。形状は円形の一部を切り欠いて円弧状にしている。８ａは被係合部、８ａ１は凹部、８ａ２は凸部、この両者によって被係合部が構成されている。
８ｂは円形状の当接部でＤの図面ではその先端の円弧の箇所つまり当接部の外側を基部８ｃつまり中央部の外側より上方につまり外側に突出する形状としている。この部分が開口枠に強く当接して面格子の揺れ、がたつきを防止する。なお８ａ１の凹部と８ａ２の凸部の箇所に図６に示す係合部６が嵌合係合しているので、操作部材５の回転と同時に施錠部材８が同方向に回転する。
【００１５】
図９はカバーを示す。９はカバーで、９ａはストッパガイドで所定長さの円弧状である。このガイドは施錠部材のストッパに当たって施錠部材の回転の大きさを規制している。また施錠部材の回転のガイドでもある。９ｂは固定ガイド、９ｃは止具孔である。
【００１６】
図１０、図１１は図２のＸ−Ｘ要部断面図、Ｙ−Ｙ要部断面図を示す。図示より明らかな通り施錠状態を示している。操作部材の突出部７ａが施錠部材８を押圧しており、それによって当接部８ｂがつよく開口枠３を押圧して面格子の風雨等による揺れ、がたつきを軽減している。さらにこの状態では操作部材がケースの開口の中に位置しているので左右方向の移動が阻止され、支持されている。
【００１７】
解錠に際しては操作部材の把み７ｃを水平の位置まで持ち上げれば、同時に突出部も回動して、突出部と施錠部材の押圧が解除される。次いで把みを施錠時とは逆方向に回転すれば施錠部材が同方向に回転して、当接部が開口枠から外れて面格子側に位置する。図１２の状態になる。
図示より明らかなように施錠部材と操作部材の係合部同士が係合しているが、操作部材の動作部を垂下した際に、施錠部材が突出部に押圧されてカバー側に押動できるスペースがケースの空間部内に設けられていることは言うまでもない。
【００１８】
図１３はカバーの別の実施例を示す。カバー１０は本発明施錠装置を開口枠に取付けた際に一方側を膨出させて覆部１０ａとしている。この大きさは解錠している際に施錠部材の当接部が位置したときに覆部内に納まる大きさとしている。
それによって面格子のルーバ羽の外側から当接部が隠蔽されることとなり、外側から施錠部材をいたずらするような恐れが軽減され、破損を防止するメリットがある。なお当接部の周縁を立ちあげて施錠部材の厚み分を隠蔽すればより好ましい。
【００１９】
図１４はケースの別の実施例を示す。ケース１１の一方側に袋状の収納部１１ａをビス止めにより取り付けている。つまり解錠時には施錠部材の当接部の略半円部の形状が収納部の中に完全に納まるような空部にした構造である。よって施錠部材が外部から完全に隠蔽されるので上記同様のメリットがある。
【００２０】
図１５はケース及びカバーにさらに別の実施例を用いた施錠装置の要部正面図を示す。１２はケースで図３と概ね異なるところは本体部１２ｂに形成している開口１２ｄの長さを本体部の略半分の長さとしている。しかして図示のとおり操作部材を水平方向に回転したときに開口縁１２ｄ１が当て止めの作用、つまりストッパーとして機能している。また１３はカバーで、図１３に示すカバーの覆部の周縁に立上部を形成している。１３ａは覆部、１３ｂは立上部でその高さは施錠部材の厚みで程度である。
【００２１】
図１６は本発明のさらに別の実施例を示す施錠装置を用いた面格子の施錠状態の要部正面図を示す。
当業者であれば十分に理解できるようにこの面格子は水平方向に移動する引き戸式の面格子である。前記実施例と異なるところは、施錠部材の形状を鎌錠タイプにしている。１４は格子型面格子、１４ａは横桟、１４ｂは枠体、１５は施錠装置で、１６は開口枠、１７はケース、１８は操作部材、１９は施錠部材、１９ａは当接部、２０は受具である。
【００２２】
施錠ならびに解錠する際の操作部材の動作は前記実施例のものと同様である。操作部材を水平に持ち上げ、次いで回転し、次いで垂下するという順序である。施錠状態においては施錠部材１９が受具２０に係合するので、引戸を開けることができない。
なお前記同様に操作部材の突出部（不図示）が施錠部材を押圧すると、当接部１９ａが開口枠を押圧し、よって引き戸が鴨居又は敷居に接し、揺れ、がたつきが軽減される。
【００２３】
以上本発明の面格子における施錠装置の実施形態について説明したが、本発明の技術思想を逸脱しない範囲の設計変更は可能である。
例えば上記実施例のパイプ、把み等を省略すること、操作部材を硬質の合成樹脂またはダイカスト製として一部材で形成し、その先端の突出部と施錠部材の係合部を回転軸を介して回転可能に連結する構成、もちろん回転軸は操作部材または施錠部材と一体成型または別体成型いずれでもよい。面格子もルーバ面格子、格子型面格子、その他でもよい。さらに操作部材の長さは外部から悪質者がいたずらして操作部材を水平に起こしてから回転できない程度の長さが好ましく、それ故にその長さは面格子のルーバの構造、格子桟の構造等によって決定すればよい。
【００２４】
【発明の効果】
本発明は次の効果を奏する。
本発明の面格子における施錠装置は観音開き式又は引き戸式の面格子の施錠装置として極めて実用的である。
施錠するに際しては操作部材を水平方向に起立して、次いで所望角度回転すれば、実施例では略１８０度回転すれば施錠部材も回転し、施錠部材の当接部が開口枠の内側に突出して当接状態で係合して施錠状態になる。この状態で操作部材を垂下すれば施錠状態が保持でき、解錠に際しては逆の動作を行えばよく、取り扱いが極めて簡単であり老人、子供でも容易に操作できる。
【００２５】
また本発明は、操作部材の突出部が施錠部材を開口枠側に押動して、施錠部材の当接部が開口枠により強固に接触して当接するので、面格子の風雨による揺れ、がたつき等騒音が解消できる。
さらに操作部材は、ケースの本体部の開口に位置し、本体部の間に挟まれた状態で開口の位置に垂下状態で保持されているので、この操作部は水平方向への起立のみが可能で、それ以外の方向には移動できず安定した保持ができる。さらに開口縁が操作部材を水平方向に起立した際のストッパとして働くので操作が容易である。
さらにまた操作棒に対してパイプを遊嵌状態で、かつ回転可能に嵌合しているので、操作部の回転は把みの部分でしか操作できない構造である。しかも把みは水平状態では面格子から離れた位置にあるので面格子の外部からの悪人によるいたずらが阻止できる。
さらにまたカバーまたはケースに施錠部材の覆部あるいは収納部を形成することにより外部からのいたずらが軽減できる。
【図面の簡単な説明】
【図１】本発明の面格子における施錠装置の使用態様の実施例を示す略正面図。
【図２】図１の施錠装置を示す要部拡大図。
【図３】ケースを示し、Ａは正面図、ＢはＡのＸ−Ｘ断面図、Ｃは背面図、ＤはＣのＹ−Ｙ断面図、Ｅは底面図。
【図４】操作部を構成する各部材を示し、Ａは突出部の略正面図、ＢはＡの左側面図、Ｃは操作棒の略正面図、Ｄはパイプの略正面図、Ｅは把みの略正面図。
【図５】図４に示す各部材を組み合わせた操作部の略正面図。
【図６】Ａは係合部の略平面図、ＢはＡ（７）Ｘ−Ｘ断面図。
【図７】操作部材を示し、Ａは係合部と操作部を軸支した状態を示す略正面図、ＢはＡの状態から操作部を水平状態に回転した略正面図。
【図８】施錠部材を示し、Ａは正面図、ＢはＡのＸ−Ｘ断面図、Ｃは背面図、ＤはＣのＹ−Ｙ断面図。
【図９】カバーを示し、Ａは正面図、ＢはＡの右側面図。
【図１０】図２のＸ−Ｘ断面図。
【図１１】図２のＹ−Ｙ断面図。
【図１２】図２に示す本発明施錠装置の解錠した状態を示す略正面図。
【図１３】カバーの別の実施例を示す略正面図。
【図１４】ケースの別の実施例を示す略正面図。
【図１５】ケースおよびカバーに別の実施例を用いた施錠装置の要部正面図。
【図１６】さらに別の実施例の施錠装置を用いた面格子の施錠状態の要部正面図。
【符号の説明】
１      面格子
１ａ    ルーバ羽
１ｂ    枠体
２      施錠装置
３      開口枠
４      ケース
４ａ    固定部
４ｂ    本体部
４ｃ    空間部
４ｄ    開口
５      操作部材
６      係合部
７      動作部
７ａ    突出部
７ｂ    操作棒
７ｃ    把み
７ｄ    パイプ
７ｅ    軸ピン（回転軸）
８      施錠部材
８ａ    被係合部
８ｂ    当接部
８ｃ    基部（中央部）
９      カバー
１０    カバー
１０ａ  覆部
１１    ケース
１１ａ  収納部
１２    ケース
１２ｂ  本体部
１２ｄ  開口
１２ｄ１開口縁
１３    カバー
１３ａ  覆部
１３ｂ  立上部
１４    面格子
１４ａ  横桟
１４ｂ  枠体
１５    施錠装置
１６    開口枠
１７    ケース
１８    操作部材
１９    施錠部材
１９ａ  当接部
２０    受具
【図１】
2004162502.tif 000003
【図２】
2004162502.tif 000004
【図３】
2004162502.tif 000005
【図４】
2004162502.tif 000006
【図５】
2004162502.tif 000007
【図６】
2004162502.tif 000008
【図７】
2004162502.tif 000009
【図８】
2004162502.tif 000010
【図９】
2004162502.tif 000011
【図１０】
2004162502.tif 000012
【図１１】
2004162502.tif 000013
【図１２】
2004162502.tif 000014
【図１３】
2004162502.tif 000015
【図１４】
2004162502.tif 000016
【図１５】
2004162502.tif 000017
【図１６】
2004162502.tif 000018